(57)【要約】【課題】既設の機械式駐車設備において、外装板を外さずに駐車塔の内部から梁を移設して車高の高い車を収容できるようにする駐車塔の改造方法を提供すること。【解決手段】鉛直方向に設けられた主柱１１０と、主柱１１０を水平方向に連結する梁１１１，１１２，・・・とによって鉄骨構造体１０２が形成され、鉄骨構造体１０２の外面に外装板が設けられた駐車塔１０１を有する機械式駐車設備の鉄骨を改造する。この改造を、駐車塔１０１の内部から、梁１１１，１１２，・・・のうち、車高の高い車を収容するために移設する必要のある梁１１１の移設位置に新しい梁１１を設け、既設の梁１１１を取り外して、車高の高い車を収容可能とする。【選択図】  図１
2015140572.tif 000002
【特許請求の範囲】
【請求項１】
鉛直方向に設けられた主柱と、該主柱を水平方向に連結する梁とによって鉄骨構造体が形成され、該鉄骨構造体の外面に外装板が設けられた駐車塔を有する機械式駐車設備の鉄骨改造方法であって、
前記駐車塔の内部から、前記梁のうち、車高の高い車を収容するために移設する必要のある梁の移設位置に新しい梁を設け、既設の梁を取り外して車高の高い車を収容可能としたことを特徴とする機械式駐車設備の改造方法。
【請求項２】
前記駐車塔における乗入階の入庫口上部に位置する下部梁を移設するために、所定寸法で上方へ移動した位置に新しい下部梁を設け、既設の下部梁を取り外すようにした請求項１に記載の機械式駐車設備の改造方法。
【請求項３】
前記駐車塔の上部に駆動機構を設置する上部梁を移設するために、所定寸法で下方へ移動した位置に新しい上部梁を設け、既設の上部梁を取り外すようにした請求項１又は２に記載の機械式駐車設備の改造方法。
【請求項４】
前記鉄骨構造体は、前記梁の外側に胴縁が設けられ、該胴縁の外側に前記外装板が取り付けられており、前記駐車塔の内部から行う、
前記主柱の新しい梁を設ける位置に固定ブラケットを設ける工程と、
前記固定ブラケットに新しい梁を取り付ける工程と、
前記新しい梁に前記胴縁を取り付ける工程と、
既設の梁から前記胴縁を取り外す工程と、
前記既設の梁を撤去する工程と、を含む請求項１〜３のいずれか１項に記載の機械式駐車設備の改造方法。
【請求項５】
前記鉄骨構造体は、前記梁の外側に胴縁が設けられ、該胴縁の外側に前記外装板が取り付けられており、前記駐車塔の内部から、
前記主柱に新しい梁を取り付ける固定ブラケットを設けた後、
前記固定ブラケットに新しい梁を取り付け、
前記新しい梁に前記胴縁を取り付けた後、
既設の梁から前記胴縁を取り外し、
前記既設の梁を撤去するようにした請求項１〜３のいずれか１項に記載の機械式駐車設備の改造方法。
【発明の詳細な説明】
【技術分野】
【０００１】
本発明は、車高の高い車を収容できるように駐車塔の鉄骨を改造する方法に関する。
【背景技術】
【０００２】
従来、複数の車を駐車させるための機械式駐車設備がマンション、ビジネス街、及びショッピング街等に設置されており、設置条件等に応じて、エレベータ式、垂直循環式等の機械式駐車設備が設置されている。このような従来の機械式駐車設備は、収容する車の仕様に応じて収容空間の大きさが決められたものがあり、一般的な普通車が収容可能な大きさの収容空間を備えた駐車設備が多く設置されている。
【０００３】
一方、近年、車の仕様が大きく様変わりし、特に車高の高い車が大幅に増加している。しかし、上記したように従来の機械式駐車設備は、普通車が収容可能な大きさの収容空間を備えたものが多く、収容可能な車の大きさに制限がある。そのため、既に設置されている機械式駐車設備を、設置当時に比べて車高の高い車を収容できるようにしたい、という要望が高い。車高の高い車を収容できるようにすることで、例えば、駐車設備の稼働率向上を図ることができる。
【０００４】
そこで、従来の機械式駐車設備における車の収容空間を大きくするような改造方法が提案されている。この種の先行技術として、例えば、本出願人が先に出願した垂直循環式駐車装置の改造方法がある。この改造方法では、ケージの収容車高を高くするために、ケージを収容高さの高いケージに交換し、主務チェーンのリンク数の総本数を減少させる。そして、下スプロケットの位置を上方へ移動させ、ケージアタッチメントリンクのピン中心からケージアタッチメントリンクに吊下げられたケージの車両載置面までの距離が大きくなるようにしている（例えば、特許文献１参照）。
【０００５】
また、他の先行技術として、垂直循環式駐車装置の主務チェーンが係合する上・下スプロケットの噛合い歯数を所定数減らし、上・下スプロケットを小径にする。そして、上・下スプロケットの軸芯位置から吊持材によるケージの吊下げ位置までの距離を既設とほぼ同一距離にして、上・下反転部におけるケージ循環時の隅切り領域を小さくすることで収容車高を高くするものもある（例えば、特許文献２参照）。
【先行技術文献】
【特許文献】
【０００６】
【特許文献１】特開２００４−１２４３５８号公報
【特許文献２】特開２００９−１５５７９９号公報
【発明の概要】
【発明が解決しようとする課題】
【０００７】
しかし、上記したような改造方法では、鉄骨構造を変更しない改造であるため、既設の梁の高さ位置により、収容できる車高には限界がある。また、上・下スプロケットを支持している駆動機構で高さ調整可能であれば、この駆動機構による高さ調整も可能であるが、その調整寸法には限界があり、車高によっては駆動機構の変位可能範囲を超える場合もある。
【０００８】
そのため、より車高の高い車を収容可能とするためには、梁を移設する改造を行うことが考えられる。図９は、この種の駐車塔１０１の角部における外装板の取付構造例を示す断面図である。駐車塔１０１は、４隅の鉛直方向に主柱１１０が設けられ、この主柱１１０の間に水平方向に梁１１１が設けられている。そして、この梁１１１に、鉛直方向に胴縁１２０（外装板取付部材）が固定され、この胴縁１２０に外装板１２１（この例では、サンドイッチパネル）がボルト１２２で取り付けられている。従って、通常の改造で梁１１１を移設するためには、この梁１１１に固定されている胴縁１２０を取り外す必要があり、この胴縁１２０を梁１１１から取り外すためには外装板１２１を一旦外す必要がある。
【０００９】
しかし、この種の機械式駐車設備は、ビルなどに隣接したスペースを利用して設置される場合が多い。そのため、設置場所によっては、前面以外の３面に建物が近接している場合が多く、機械式駐車設備と隣地との間にスペースが無く、外装板１２１を外側に外すことができない場合が多い。
【００１０】
そこで、本発明は、既設の機械式駐車設備において、外装板を外さずに駐車塔の内部から梁を移設して車高の高い車を収容できるようにする駐車塔の改造方法を提供することを目的とする。
【課題を解決するための手段】
【００１１】
上記目的を達成するために、鉛直方向に設けられた主柱と、該主柱を水平方向に連結する梁とによって鉄骨構造体が形成され、該鉄骨構造体の外面に外装板が設けられた駐車塔を有する機械式駐車設備の鉄骨改造方法であって、前記駐車塔の内部から、前記梁のうち、車高の高い車を収容するために移設する必要のある梁の移設位置に新しい梁を設け、既設の梁を取り外して車高の高い車を収容可能としている。この明細書及び特許請求の範囲の書類中における「既設の梁」は撤去する梁をいい、「新しい梁」は移設する位置に設ける新しい梁をいう。
【００１２】
この構成により、駐車塔における車高の高い車を収容可能とするために、駐車塔の内部から、梁の移設位置に新しい梁を設け、既設の梁を撤去することで、車高の高い車を収容できるように梁を移設することができ、駐車塔の内部からの鉄骨改造工事で梁を移設することができる。
【００１３】
また、前記駐車塔における乗入階の入庫口上部に位置する下部梁を移設するために、所定寸法で上方へ移動した位置に新しい下部梁を設け、既設の下部梁を取り外すようにしてもよい。
【００１４】
このように構成すれば、乗入階における入出庫口の上部に位置する下部梁によって収容できる車高が制限される場合、駐車塔の内部からその下部梁を上方に移設して収容可能な車高を高くすることができる。
【００１５】
また、前記駐車塔の上部に駆動機構を設置する上部梁を移設するために、所定寸法で下方へ移動した位置に新しい上部梁を設け、既設の上部梁を取り外すようにしてもよい。
【００１６】
このように構成すれば、旋回式駐車設備などにおいて、上部の駆動機構を設置している上部梁の位置によって収容できる車高が制限される場合でも、駐車塔の内部からその上部梁を下方に移設することで収容可能な車高を高くすることができる。しかも、車高の高い車を収容するために駐車塔の下部と上部で空間を広くする必要がある場合には、下部梁を上方に移設し、上部梁を下方に移設して、収容可能な車高を高くすることができる。
【００１７】
また、前記鉄骨構造体は、前記梁の外側に胴縁が設けられ、該胴縁の外側に前記外装板が取り付けられており、前記駐車塔の内部から行う、前記主柱の新しい梁を設ける位置に固定ブラケットを設ける工程と、前記固定ブラケットに新しい梁を取り付ける工程と、前記新しい梁に前記胴縁を取り付ける工程と、既設の梁から前記胴縁を取り外す工程と、前記既設の梁を撤去する工程と、を含むようにしてもよい。
【００１８】
このように構成すれば、収容可能な車高を高くするために、駐車塔の内部から、既設の梁を移設する位置に新しい梁を設けて既設の梁を撤去し、車高の高い車を収容するために邪魔な梁を移設することができる。
【００１９】
また、前記鉄骨構造体は、前記梁の外側に胴縁が設けられ、該胴縁の外側に前記外装板が取り付けられており、前記駐車塔の内部から、前記主柱に新しい梁を取り付ける固定ブラケットを設けた後、前記固定ブラケットに新しい梁を取り付け、前記新しい梁に前記胴縁を取り付けた後、既設の梁から前記胴縁を取り外し、前記既設の梁を撤去するようにしてもよい。
【００２０】
このように構成すれば、既設の梁に胴縁が取り付けられている状態で駐車塔の内部から新しい梁を設け、その新しい梁に胴縁を取り付けた後に駐車塔の内部から既設の梁を撤去するので、胴縁に固定されている外装板を取り外すことなく駐車塔の内部からの工事で梁を移設することができる。
【発明の効果】
【００２１】
本発明によれば、既設の機械式駐車設備における駐車塔を、外装板を外さずに駐車塔の内部から梁を移設して車高の高い車を収容できるように改造できるので、機械式駐車設備の周囲の構造物との関係を気にすることなく駐車塔の鉄骨を改造することが可能となる。
【図面の簡単な説明】
【００２２】
【図１】図１は本発明の第１実施形態に係る改造方法で改造する駐車塔の鉄骨構造を示す図面であり、(a) は改造前の概略構成図、(b) は改造後の概略構成図である。
【図２】図２は図１(b) に示す改造後の駐車塔を示す正面図である。
【図３】図３は図１に示す下部駆動機構の正面図である。
【図４】図４は図２に示すIV−IV矢視の拡大断面図である。
【図５】図５(a) 〜(c) は図２に示す駐車塔の改造手順を示す正面図である。
【図６】図６(a) 〜(c) は図５に示す改造手順の続きを示す正面図である。
【図７】図７は本発明の第２実施形態に係る改造方法で改造する駐車塔の鉄骨構造を示す図面であり、(a) は改造前の概略構成図、(b) は改造後の概略構成図である。
【図８】図８は図７(b) に示す改造後の駐車塔を示す正面図である。
【図９】図９は既設の駐車塔における外装板の取付構造例を示す角部の水平方向断面図である。
【発明を実施するための形態】
【００２３】
以下、本発明の実施形態を図面に基づいて説明する。以下の実施形態では、改造する機械式駐車設備として垂直循環式駐車設備を例にし、その駐車塔の改造について説明する。この改造例は、既設の垂直循環式駐車設備を、普通車収容タイプから収容可能な車高を高くしたハイルーフ車対応に改造する例である。そのために、車両搭載用ケージを高い車両搭載用ケージに交換して吊持間隔を変更し、高くした車両搭載用ケージが最下部、最上部で旋回可能なように鉄骨を改造する。この鉄骨改造を、駐車塔の内部から外装板を解体せずに行うものである。
【００２４】
また、図面では、梁に固定された胴縁（図９）と、この胴縁に取り付けられた外装板（図９）を取り外すことなく改造するため、これらの図示を省略して説明する。また、一部の図面では固定ブラケットなどの図示も省略する。なお、改造前に内部の駐車装置に関する構成は撤去される。
【００２５】
図１(a),(b) に示すように、第１実施形態の改造方法は、既設の駐車塔１０１における最下部梁１１１を上方に移設して乗入階１０３の空間を確保して車高の高い車を収容できるようにする例である。図１(a) に示すように、既設の駐車塔１０１は、鉛直方向に設けられた主柱１１０と、この主柱１１０を水平方向に連結する複数の梁１１１，１１２，１１３と、これらの梁１１１，１１２，１１３と主柱１１０などの間を斜めに連結するブレース１１５，１１６，１１７，１１８とによって鉄骨構造体１０２が形成されている。この鉄骨構造体１０２の外面には、外装板（図９）が取り付けられる。この既存の駐車塔１０１は、乗入階１０３の入出庫口１０４の上部に位置する最下部梁１１１が、比較的低い位置に設けられている。この最下部梁１１１の上面には、車両搭載用ケージ（図示略）を循環駆動するための下スプロケット１３１が設けられた下部駆動機構１３０（ケージ循環機構）が配設されている。
【００２６】
そして、図１(b) に示すように、この実施形態における駐車塔１の鉄骨構造体２の改造方法は、車高の高い車を収容するために、高くした車両搭載用ケージ（図示略）が乗入階３で循環でき、その車両搭載用ケージに車高の高い車を入出庫できるように、乗入階３における入出庫口４の開口を高く改造する。この改造としては、最下部梁１１を車高の高い車を収容できる位置となるように上方へ移設するとともに、移設した最下部梁１１に上記下部駆動機構１３０を設けることができるように、最下部梁１１の上方に位置する第２下部梁１２も上方に移設している。このように移設した最下部梁１１は、図１(a) に示す既設の最下部梁１１１の高さＨ１に対して、図１(b) に示す高さＨ１１となる。これにより、車両搭載用ケージ（図示略）の高さを高くできるとともに、入出庫口４の乗入面１０５からの開口高さを高くできる。
【００２７】
また、上方に移設した最下部梁１１と第２下部梁１２との間隔Ｈ２は、既設の状態と同じ寸法にしている。これにより、下部駆動機構１３０と第２下部梁１２との位置関係が既設と同じ関係になるようにしている。そのため、第２下部梁１２の高さＨ１３は、既設の高さＨ３に対して最下部梁１１の高さ変化分で高くなっている。そして、新たな位置の最下部梁１１、第２下部梁１２及び第３下部梁１３と主柱１１０との間に、新ブレース１５，１６，１７，１８が設けられる。
【００２８】
図２は、上記図１(b) に示すように最下部梁１１及び第２下部梁１２を移設した後の状態の鉄骨構造体２を示す正面図である。改造の手順については、後述する図５(a) 〜(c) と図６(a) 〜(c) で説明し、この図では、改造後の鉄骨構造体２について説明する。この実施形態では、最下部梁１１及び第２下部梁１２の移設位置の主柱１１０に新たな固定ブラケット２０，２１が設けられる。そして、固定ブラケット２０に新しい最下部梁１１が取り付けられ、固定ブラケット２１に新しい第２下部梁１２が取り付けられる。また、この例では、最下部梁１１の移設位置に支持部材２７を設け、この支持部材２７に新しい最下部梁１１を載せて移設作業が容易にできるようにしている。このような鉄骨改造を行うことにより、最下部梁１１は高さＨ１１に移設され、第２下部梁１２は、最下部梁１１に対して同じ間隔Ｈ２で上方に移設されて、高さＨ１３となる。
【００２９】
さらに、新しい最下部梁１１に固定ブラケット２２，２３が設けられ、第２下部梁１２に固定ブラケット２５が設けられ、第３下部梁１３に固定ブラケット２６が設けられ、主柱１１０に固定ブラケット２４が設けられる。そして、移設された最下部梁１１と主柱１１０との間にブレース１５，１７が設けられ、最下部梁１１と第２下部梁１２との間にブレース１６が設けられ、第３下部梁１３と主柱１１０との間にブレース１８が設けられる。最下部梁１１の下部と主柱１１０の下端部とを連結するブレース１５は、その角度が既設の状態と同じ角度で設けられている。最下部梁１１の上部と第２下部梁１２との間のブレース１６，１７は、既設の状態と同じ取付状態で設けられている。第２下部梁１２の上部と第３下部梁１３の下部との間のブレース１８は、これらの梁の間隔が狭まったため、角度が緩くなって設けられている。各ブレース１５〜１８は、ボルト１９で固定ブラケット２１〜２６に固定されている。
【００３０】
これにより、下部駆動機構１３０（図１）を設置する最下部梁１１を上方に移動させて、既設の下部駆動機構１３０における乗入面１０５から下スプロケット１３１の軸心位置１３２までの高さＨ４を高さＨ１４に高くすることができる（図１）。これにより、高くなった車両搭載用ケージ（図示略）の下部が旋回時に通過する空間（乗入階３の高さ方向の空間）を大きくできる。
【００３１】
すなわち、図１(a) に示す高さＨ１に対して、図１(b) に示す高さＨ１１を高くし、下スプロケット１３１の軸心位置１３２から乗入階３の乗入面１０５までの距離を大きくし、車両搭載用ケージが旋回する空間を大きくできる。
【００３２】
図３は、上記最下部梁１１に設けられる下部駆動機構１３０を示す正面図である。この実施形態は、垂直循環式の駐車塔１０１であるため、車両搭載用ケージ（図示略）を旋回させるための下スプロケット１３１を設けた下部駆動機構１３０が最下部梁１１の上部に配設されている。この下部駆動機構１３０は、門型の支柱１３３に案内部材１３４が設けられ、この案内部材１３４に沿って上下動するように支持部材１３５が設けられている。支持部材１３５には、下スプロケット１３１の軸１３６が支持されている。
【００３３】
支持部材１３５は、支柱１３３から上方に突出する部分が、支柱１３３の上方に設けられた棒状体１３７に案内されている。また、支持部材１３５は、棒状体１３７に設けられたバネ材１３８によって下向きに付勢されている。このような構成の下部駆動機構１３０により、支持部材１３５に支持された下スプロケット１３１の上下方向の位置が決められている。
【００３４】
図４は、上記図２に示すIV−IV矢視の断面図である。り、上記したように最下部梁１１を上方に移設した場合、その移設した位置における平面剛性を保つために、４辺の最下部梁１１が同じ高さに移設される。そして、その移設した最下部梁１１の間に、火打ち部材３０が設けられる。なお、４辺の最下部梁１１は、形状・寸法の異なる物が用いられる場合もあるが、同じ高さに移設すれば火打ち部材３０を設けることはできる。
【００３５】
この火打ち部材３０は、鉄骨構造体２の各角部が９０度の角度を保つために設けられるものであり、移設した最下部梁１１の同一高さ位置に水平方向に延びるブラケット３１，３２が設けられ、これらのブラケット３１，３２に火打ち部材３０がボルト３３で固定されている。
【００３６】
図５(a) 〜(c) と図６(a) 〜(c) は、上記駐車塔１０１の好ましい改造手順を示す駐車塔１０１の正面図である。なお、これらの図では、外装板（図９）と胴縁（図９）の図示を省略した状態で鉄骨構造体２を示す。なお、図６(a),(b) では、説明上、一部の胴縁１２０を図示している。
【００３７】
図５(a) は、既設の駐車塔１０１を示す正面図であり、例えば、普通車収容タイプであり、乗入階１０３の入出庫口１０４の高さが低く、既設の最下部梁１１１も低い位置に設けられている。図５(b) に示すように、先ず、図５(a) の状態から既設ブレース１１５〜１１８を駐車塔１の内部から撤去する。この例では、下スプロケット１３１を配設する下部駆動機構（図１）が最下部梁１１１に設けられているので、最下部梁１１１を上方へ移設することで下部駆動機構が第２下部梁１１２に当接するため、第２下部梁１１２も上方へ移設する。そのため、第２下部梁１１２と第３下部梁１１３との間に設けられたブレース１１８も撤去している。また、この例では、新たに第２下部梁１２を設ける位置に突出する既設の固定ブラケット１４０を駐車塔１の内部から切除している。
【００３８】
次に、図５(c) に示すように、既設の最下部梁１１１と第２下部梁１１２から所定距離上方の主柱１１０に、新たな最下部梁１１と第２下部梁１２とを取り付けるための固定ブラケット２０，２１を駐車塔１の内部から設ける。この例では、最下部梁１１と第２下部梁１２との間隔を既設と同じ間隔Ｈ２にするように、固定ブラケット２０，２１を設けている。
【００３９】
そして、図６(a) に示すように、新たに設けた固定ブラケット２０に新たな最下部梁１１を駐車塔１の内部から取り付けるとともに、固定ブラケット２１に新たな第２下部梁１２を取り付ける。また、図示するように、第２下部梁の位置が上方に移動することにより、第２下部梁と第３下部梁との間に設けるブレースの角度が変わるため、この実施形態では、既設の第３下部梁１１３を、上記固定ブラケット２６を設けた第３下部梁１３に駐車塔１の内部から取り替える。この第３下部梁１３の取り替え時には、駐車塔１の内部から既設の第３下部梁１１３から胴縁１２０を取り外し、新たな第３下部梁１３を取り付けた後に胴縁１２０を固定する。
【００４０】
その後、駐車塔１の内部から新たに取り付けた最下部梁１１と第２下部梁１２とに胴縁１２０を固定した後、既設の最下部梁１１１と第２下部梁１１２とから胴縁１２０を取り外す。これにより、胴縁１２０は既設の状態のままで、新たに最下部梁１１と第２下部梁１２とが設けられた状態となる。
【００４１】
次に、図６(b) に示すように、既設の最下部梁１１１と第２下部梁１１２とを駐車塔１の内部から撤去する。この時、新しい最下部梁１１と第２下部梁１２とによって鉄骨構造体２は剛性を有しているので、鉄骨構造体２は安定した状態で撤去することができる。そして、駐車塔１の内部から新しい最下部梁１１の下部と主柱１１０との間にブレース１５を設けるとともに、第２下部梁１２との間にもブレース１６を設ける。また、第２下部梁１２と第３下部梁１３との間にもブレース１８を設ける。さらに、主柱１１０に設けられている既設の固定ブラケット１４１を撤去する。
【００４２】
次に、図６(c) に示すように、駐車塔１の内部から、最下部梁１１の上部と主柱１１０との間にブレース１７を設けるための固定ブラケット２４を主柱１１０に設け、この固定ブラケット２４と最下部梁１１との間にブレース１７を設ける。この図では、胴縁１２０の記載を省略する。これにより、乗入階３の入出庫口４を高くすることができる。なお、他の側面及び背面の３面も同様の手順で改造することにより、最下部梁１１を上方へ移設する鉄骨改造が完了する。
【００４３】
このように、上記鉄骨改造方法によれば、駐車塔１の内部から、既設のブレースを撤去後、新しく設ける下部梁１１，１２を主柱１１０に先に取り付け、新しく設けた下部梁１１，１２に胴縁１２０を固定した後、既設の下部梁１１１，１１２から胴縁１２０離して撤去するので、下部梁１１，１２の移設に際し外装板１２１（図９）を解体せずに、駐車塔１の内部から作業を行うことができる。
【００４４】
従って、このような鉄骨改造方法によれば、既設の外装板や胴縁を取り外すことなく、駐車塔１０１の内部から鉄骨構造体２の改造工事が可能となり、工事の作業性改善を図ることが可能となる。
【００４５】
また、上記実施形態によれば、下部駆動機構１３０を支えている最下部梁１１と、その上方に隣接する第２下部梁１２を併せて移設したので、改造後の最下部梁１１の上部に配設する下部駆動機構１３０の上部クリアランスを既設と同様に確保できる。
【００４６】
次に、図７(a),(b) に示す第２実施形態に係る改造方法を説明する。この改造方法は、垂直循環式の機械式駐車設備における既設の駐車塔１０１の上部梁１５０を下方へ移設して最上部の空間を確保する例である。駐車塔１０１における改造としては、上記第１実施形態における最下部梁１１１を上方へ移設する改造の他、上部梁１５０を下方へ移設する改造もある。
【００４７】
図７(a) に示すように、既設の駐車塔１０１の鉄骨構造体１０２は、主柱１１０の所定位置に設けられた上部梁１５０と、この上部梁１５０と主柱１１０との間に設けられるブレース１５５とを有している。上部梁１５０の上部には、上部駆動機構１６０が配設される。この上部駆動機構１６０は、車両搭載用ケージ（図示略）を旋回させる上スプロケット、上スプロケットを駆動する駆動機構などを含むものである。そのため、車両搭載用ケージ（図示略）の高さを高いものに交換した場合には、その車両搭載用ケージの下部が旋回時に上部駆動機構１６０の構成に接触する恐れがある。例えば、前後位置に設けられた上スプロケットは、それらの間に動力伝達軸などの構成があるため、大きくなった車両搭載用ケージの下部が接触する恐れがある。
【００４８】
そこで、図７(b) に示すように、上部梁５０を下方に移設し、上部駆動機構１６０の配設位置を下げるように改造する。この実施形態では、駐車塔の内部から、新しい上部梁５０を下方に設け、既設の上部梁１５０の中央部分を切除し、既設の上部梁１５０の端部と新しい上部梁５０とを上下方向に連結部材５１で連結している。
【００４９】
この実施形態の場合、駐車塔の内部から、上部梁５０の下部に設けられているブレース１５５が撤去され、その後、既設の上部梁１５０の位置から所定量下がった位置の主柱１１０に固定ブラケット６０が設けられる。そして、固定ブラケット６０に新しい上部梁５０を取り付けた後、既設の上部梁１５０の一部（中央部分）が切除され、残った既設の上部梁１５０と新しい上部梁５０とが、上下方向に連結部材５１で連結される。その後、新しい上部梁５０と主柱１１０との間に新たなブレース５５が設けられる。この新しい上部梁５０の上部に、上部駆動機構１６０が配設される。上部駆動機構１６０は、新品に交換しても、既設の物を改造して利用してもよい。
【００５０】
図８は、上記図７(b) に示すように上部梁５０を移設した後の状態の鉄骨構造体２を示す正面図である。図示するように、この改造では、上部梁５０を移設する高さに固定ブラケット６０が設けられ、その固定ブラケット６０に新たな上部梁５０が取り付けられる。この例では、上部梁５０の移設位置に支持部材６１を設け、この支持部材６１に新しい上部梁５０を載せて移設作業が容易にできるようにしている。
【００５１】
そして、新しい上部梁５０の上部は、既設の上部梁１５０の残された部分の内側端部と連結部材５１で連結されている。既設の上部梁１５０の両端部（一部）を残し、新しい上部梁５０と連結することで、既設の上部梁１５０から上方に設けた既設のブレース１５６を残している。新たに移設した上部梁５０の下部は、固定ブラケット６２と主柱１１０との間に新たなブレース５５がボルト５６で固定される。このブレース５５は、撤去したブレース１５５と同じ角度で設けられている。
【００５２】
また、鉄骨構造体２の新しい上部梁５０の高さ位置には、他の３辺にも新しい上部梁５０が設けられている。なお、他の３辺の上部梁５０は、形状・寸法の異なる物が用いられる場合もある。また、側面については、既設の上部梁１５０を残して新しい上部梁５０を設けるようにしてもよい。この場合、新たな上部梁５０に適したブレースを設ければよい。そして、新しい上部梁５０の位置には、上記図４に示す断面と同様に、火打ち部材３０が設けられている。火打ち部材３０を設ける構成は、上記図４と同様であるため、その説明は省略する。
【００５３】
この鉄骨改造でも、上部駆動機構１６０を配設する上部梁５０について、上記第１実施形態と同様に、駐車塔１の内部から、新しい上部梁５０を増設後、既設の上部梁１５０を撤去することで、梁に固定している胴縁（図９）と、この胴縁に固定している外装板（図９）を取り外すことなく、駐車塔１の内部から鉄骨構造体２の上部梁５０を下方へ移設することを可能にしている。
【００５４】
これにより、上部駆動機構（パレット循環機構）１６０を設置する上部梁５０を下方に移動させ、この上部梁５０に上スプロケット（図示略）の軸心位置が既設と同じ関係となるように上部駆動機構１６０を設置することで、高さ方向が高くなった車両搭載用ケージ（図示略）の下部が旋回時に通過する空間を大きくしている。
【００５５】
すなわち、図７(a) に示す距離Ｈ５に対して、図７(b) に示す距離Ｈ１５を大きくし、上スプロケット（図示略）の軸心位置１６１までの距離Ｈ６を既設の状態と同じ位置関係にすることで、軸心位置１６１から上部梁５０までの距離Ｈ７が距離Ｈ１７となって大きくなり、車両搭載用ケージ（図示略）が旋回する空間（駐車塔１の最上部の空間）を大きくすることができる。
【００５６】
以上のように、上記改造方法によれば、既設の機械式駐車設備における収容車高さを高くする改造において、駐車塔の内部から車両搭載用ケージが移動する空間の高さを増やして収容車高を大きく増加させることができるので、より多くの機械式駐車設備において車種を収容させるように改造することが可能となり、既設の機械式駐車設備の有用性を向上し、稼働率向上などを図ることが可能となる。
【００５７】
また、既存外装板や胴縁を取り外すことなく、駐車塔の内部から鉄骨構造体２の改造工事が可能となり、工事性の改善を図ることが可能となる。しかも、外部足場設置を不要とでき、これにより隣地との距離による制約を受けることなく鉄骨改造の施工が可能となり、工期短縮、トータルコスト低減を図ることができる。
【００５８】
従って、隣接ビル、隣接境界までの距離に関係なく車高の高い車（図示略）を収容できるように改造することが可能となり、外部作業足場設置のための隣接ビルとの距離などの事前調査も不要となる。
【００５９】
なお、上記実施形態では、最下部梁１１を移設する実施形態と、上部梁５０を移設する実施形態とを説明したが、これら一方の梁１１，５０を移設する改造の他、両方の梁１１，５０を同時に移設する改造も可能であり、駐車塔１０１の改造は上記実施形態に限定されるものではない。
【００６０】
また、上記実施形態では、既設の下部駆動機構１３０を支持する既設の最下部梁１１１を全部切除して異なる高さに新しい最下部梁１１を設ける実施形態と、既設の上部梁１５０の一部を切除して異なる高さに新しい上部梁５０を設ける例を説明した。しかし、改造に応じて既設梁の全部または一部を切除するようにしてもよく、梁を切除する部分の大きさなどは上記実施形態に限定されるものではない。
【００６１】
さらに、上記第１実施形態では、間隔Ｈ２が変化しないように２本の梁１１１，１１２を移設する例を説明したが、他の梁を含めてそれぞれの間隔を変えるかどうかや移設交換の対象となる梁の本数などは、改造条件に応じて決定すればよく、上記実施形態に限定されるものではない。また、ブレースも、既設品を再利用しても構わない。
【００６２】
また、４面に設けられた梁の内、車高の高い車への対応に影響のない梁（例えば、側面梁）は、既設の梁をそのまま残しても構わない。
【００６３】
さらに、上記実施形態は一例を示しており、垂直循環式の機械式駐車設備以外の機械式駐車設備においても同様の改造はでき、本発明の要旨を損なわない範囲での種々の変更は可能で、本発明は上記実施形態に限定されるものではない。
【産業上の利用可能性】
【００６４】
本発明に係る機械式駐車設備の改造方法は、既設の機械式駐車設備における駐車塔の内部から車両収容高さを高くする改造をしたい場合に利用できる。
【符号の説明】
【００６５】
１  駐車塔
２  鉄骨構造体
３  乗入階
４  入出庫口
１１  梁（最下部梁）
１２  梁（第２下部梁）
１３  梁（第３下部梁）
１５〜１８  ブレース
２０〜２６  固定ブラケット
２７  支持部材
３０  火打ち部材
３１，３２  ブラケット
５０  上部梁
５１  連結部材
５５  ブレース
６０  固定ブラケット
６１  支持部材
Ｈ１，Ｈ１１  高さ
Ｈ２  間隔
Ｈ５，Ｈ１５  距離
Ｈ７，Ｈ１７  距離
１０５  乗入面
１１０  主柱
１２０  胴縁
１２１  外装板
１３０  下部駆動機構
１３１  下スプロケット
１３２  軸心位置
１５０  上部梁
１６０  上部駆動機構（ケージ循環機構）
１６１  軸心位置
【図１】
2015140572.tif 000003
【図２】
2015140572.tif 000004
【図３】
2015140572.tif 000005
【図４】
2015140572.tif 000006
【図５】
2015140572.tif 000007
【図６】
2015140572.tif 000008
【図７】
2015140572.tif 000009
【図８】
2015140572.tif 000010
【図９】
2015140572.tif 000011